(57)【要約】【課題】簡単な構成で楽器の音高を調律することができる楽器用チューナおよび楽器用アンプを提供する。【解決手段】マニュアルモードでは、ロータリスイッチ１２ｄにより指定される音高が基準音高として選択される。ロータリスイッチ１２ｄにより指定される音高は、ＲＯＭ１０のギター用テーブル１０ｂに記憶されている。オートモードでは、検出音高に最も近い半音階の音名が基準音高として選択される。基準音高として選択される半音階の音名に対応する音高は、ＲＯＭ１０の半音階テーブル１０ａに記憶されている。ＣＰＵ８は、検出された音高に最も近い音高を半音階テーブル１０ａから抽出し、その音高を基準音高とし、検出音高が、基準音高より低い場合は、左側に位置するＬＥＤ１１ａを、一致している場合は、ＬＥＤ１１ｂを、高い場合は、右側のＬＥＤ１１ｃを点灯する。【選択図】図２
2008076758.tif 000002
【特許請求の範囲】
【請求項１】
電気信号を入力する入力手段と、
その入力手段に入力された電気信号の音高を検出する音高検出手段と、
音階を構成する音高のいずれかを基準音高として任意に指定可能なマニュアル音高指定手段と、
音階を構成する音高のうち、前記音高検出手段により検出された音高に最も近い音高が基準音高として指定されるオート音高指定手段と、
前記マニュアル音高指定手段により基準音高が指定されるマニュアルモードと前記オート音高指定手段により基準音高が指定されるオートモードとのいずれかのモードを選択するモード選択手段と、
前記音高検出手段により検出された音高と前記モード選択手段により選択されたモードにおいて指定された基準音高とを比較する比較手段と、
その比較手段により比較された比較結果を表示し、前記オート音高指定手段により指定された基準音高を非表示とする表示手段とを備えていることを特徴とする楽器用チューナ。
【請求項２】
前記マニュアル音高指定手段により指定される基準音高は、弦楽器の開放弦の音高に対応する音高であることを特徴とする請求項１記載の楽器用チューナ。
【請求項３】
前記マニュアル音高指定手段は、弦番号に対応して弦楽器の開放弦の音高に対応する音高を指定することを特徴とする請求項１または２記載の楽器用チューナ。
【請求項４】
前記オート音高指定手段により指定される基準音高は、弦楽器の開放弦の音高に対応する音高であることを特徴とする請求項１から３のいずれかに記載の楽器用チューナ。
【請求項５】
前記オート音高指定手段により指定される基準音高は、半音階の音高であることを特徴とする請求項１から３のいずれかに記載の楽器用チューナ。
【請求項６】
前記比較手段は、前記音高検出手段により検出された音高が前記モード選択手段により選択されたモードにおいて指定された基準音高より、高いか、低いか、一致しているかを判定し、
前記表示器は、前記音高検出手段により検出された音高が前記モード選択手段により選択されたモードにおいて指定された基準音高より、高いか、低いか、一致しているかを表示し、前記オート音高指定手段により指定された基準音高を非表示とすることを特徴とする請求項１から５のいずれかに記載の楽器用チューナ。
【請求項７】
請求項１から６のいずれかに記載の楽器用チューナを備えた楽器用アンプ。
【請求項８】
前記入力手段に入力された電気信号の音高を検出するチューナ機能と、前記入力手段に入力された電気信号を増幅して出力するアンプ機能とのいずれかを選択する機能選択手段と、
任意に設定操作する操作子とを備え、
その操作子は、前記機能選択手段によりチューナ機能が選択されている場合は、前記マニュアル音高指定手段として基準音高を指定し、前記機能選択手段によりアンプ機能が選択されている場合は、前記入力手段に入力された電気信号に対する音色制御の種類を設定することを特徴とする請求項７記載の楽器用アンプ。
【請求項９】
前記機能選択手段によりアンプ機能が選択されている場合、前記操作子は、前記入力手段に入力された電気信号の周波数特性を変更する制御の種類を設定することを特徴とする請求項８記載の楽器用アンプ。
【請求項１０】
前記機能選択手段によりアンプ機能が選択されている場合、前記操作子は、前記入力手段に入力された電気信号に対する楽器または再生アンプの音色特性を模擬するモデリングの種類を設定することを特徴とする請求項８記載の楽器用アンプ。
【請求項１１】
前記機能選択手段によりアンプ機能が選択されている場合、前記操作子は、前記入力手段に入力された電気信号に付与する効果の種類を設定することを特徴とする請求項８記載の楽器用アンプ。
【発明の詳細な説明】
【技術分野】
【０００１】
本発明は、楽器用チューナおよび楽器用アンプに関し、特に簡単な構成で楽器の音高を調律することができる楽器用チューナおよび楽器用アンプに関する。
【背景技術】
【０００２】
従来より、ギター等の弦楽器の弦振動の音高（周波数）を検出し、その検出した音高と、基準音高との偏差を検出して表示することにより、楽器の調律を行う楽器用チューナが知られている。これらの楽器用チューナには、合わせようとする音高である基準音高を使用者が指定し、その使用者により指定された音高と合わせようとする弦の振動との差を表示するマニュアル方式と、使用者は、合わせようとする音高を指定せずに、楽器用チューナが、検出した音高の音名を表示器に表示し、使用者は、その表示により合わせようとする音高との高低を判断しながら調律するオート方式（クロマチック方式ともいう）とが知られている。
【０００３】
特開２００４−５３７７９号（特許文献１）に開示された楽器用チューナは、マニュアル方式のチューナであり、特許第３０９０９８７号公報（特許文献２）に開示された楽器用チューナは、オート方式のチューナである。
【特許文献１】特開２００４−５３７７９号公報
【特許文献２】特許第３０９０９８７号公報
【発明の開示】
【発明が解決しようとする課題】
【０００４】
しかしながら、特許文献１に記載されたマニュアル方式の楽器用チューナでは、使用者が弦毎に基準音高を設定しなければならず、調律操作が面倒であるという問題点があった。また、特許文献２に記載されたオート方式の楽器用チューナでは、入力された振動の音高に近い音名、または、弦番号を表示する表示器を備えなければならず、表示器を備えるための空間を必要とするとともに、装置が大規模になって高価になるという問題点があった。
【０００５】
本発明は、上述した問題点を解決するためになされたものであり、簡単な構成で楽器の音高を調律することができる楽器用チューナおよび楽器用アンプを提供することを目的としている。
【課題を解決するための手段】
【０００６】
この目的を達成するために、請求項１記載の楽器用チューナは、電気信号を入力する入力手段と、その入力手段に入力された電気信号の音高を検出する音高検出手段と、音階を構成する音高のいずれかを基準音高として任意に指定可能なマニュアル音高指定手段と、音階を構成する音高のうち、前記音高検出手段により検出された音高に最も近い音高が基準音高として指定されるオート音高指定手段と、前記マニュアル音高指定手段により基準音高が指定されるマニュアルモードと前記オート音高指定手段により基準音高が指定されるオートモードとのいずれかのモードを選択するモード選択手段と、前記音高検出手段により検出された音高と前記モード選択手段により選択されたモードにおいて指定された基準音高とを比較する比較手段と、その比較手段により比較された比較結果を表示し、前記オート音高指定手段により指定された基準音高を非表示とする表示手段とを備えている。
【０００７】
請求項２記載の楽器用チューナは、請求項１記載の楽器用チューナにおいて、前記マニュアル音高指定手段により指定される基準音高は、弦楽器の開放弦の音高に対応する音高である。
【０００８】
請求項３記載の楽器用チューナは、請求項１または２記載の楽器用チューナにおいて、前記マニュアル音高指定手段は、弦番号に対応して弦楽器の開放弦の音高に対応する音高を指定する。
【０００９】
請求項４記載の楽器用チューナは、請求項１から３のいずれかに記載の楽器用チューナにおいて、前記オート音高指定手段により指定される基準音高は、弦楽器の開放弦の音高に対応する音高である。
【００１０】
請求項５記載の楽器用チューナは、請求項１から３のいずれかに記載の楽器用チューナにおいて、前記オート音高指定手段により指定される基準音高は、半音階の音高である。
【００１１】
請求項６記載の楽器用チューナは、請求項１から５のいずれかに記載の楽器用チューナにおいて、前記比較手段は、前記音高検出手段により検出された音高が前記モード選択手段により選択されたモードにおいて指定された基準音高より、高いか、低いか、一致しているかを判定し、前記表示器は、前記音高検出手段により検出された音高が前記モード選択手段により選択されたモードにおいて指定された基準音高より、高いか、低いか、一致しているかを表示し、前記オート音高指定手段により指定された基準音高を非表示とする。
【００１２】
請求項７記載の楽器用アンプは、請求項１から６のいずれかに記載の楽器用チューナを備えたものである。
【００１３】
請求項８記載の楽器用アンプは、請求項７記載の楽器用アンプにおいて、前記入力手段に入力された電気信号の音高を検出するチューナ機能と、前記入力手段に入力された電気信号を増幅して出力するアンプ機能とのいずれかを選択する機能選択手段と、任意に設定操作する操作子とを備え、その操作子は、前記機能選択手段によりチューナ機能が選択されている場合は、前記マニュアル音高指定手段として基準音高を指定し、前記機能選択手段によりアンプ機能が選択されている場合は、前記入力手段に入力された電気信号に対する音色制御の種類を設定する。
【００１４】
請求項９記載の楽器用アンプは、請求項８記載の楽器用アンプにおいて、前記機能選択手段によりアンプ機能が選択されている場合、前記操作子は、前記入力手段に入力された電気信号の周波数特性を変更する制御の種類を設定する。
【００１５】
請求項１０記載の楽器用アンプは、請求項８記載の楽器用アンプにおいて、前記機能選択手段によりアンプ機能が選択されている場合、前記操作子は、前記入力手段に入力された電気信号に対する楽器または再生アンプの音色特性を模擬するモデリングの種類を設定する。
【００１６】
請求項１１記載の楽器用アンプは、請求項８記載の楽器用アンプにおいて、前記機能選択手段によりアンプ機能が選択されている場合、前記操作子は、前記入力手段に入力された電気信号に付与する効果の種類を設定する。
【発明の効果】
【００１７】
請求項１記載の楽器用チューナによれば、電気信号を入力する入力手段と、その入力手段に入力された電気信号の音高を検出する音高検出手段と、音階を構成する音高のいずれかを基準音高として任意に指定可能なマニュアル音高指定手段と、音階を構成する音高のうち、音高検出手段により検出された音高に最も近い音高が基準音高として指定されるオート音高指定手段と、マニュアル音高指定手段により基準音高が指定されるマニュアルモードとオート音高指定手段により基準音高が指定されるオートモードとのいずれかのモードを選択するモード選択手段と、音高検出手段により検出された音高とモード選択手段により選択されたモードにおいて指定された基準音高とを比較する比較手段と、その比較手段により比較された比較結果を表示し、オート音高指定手段により指定された基準音高を非表示とする表示手段とを備えているので、簡単な構成で楽器の音高を調律することができる。すなわち、従来、オートモードにおいては、音名を表示するものとされていたが、本発明の構成とすることにより、音名を表示する表示装置が不要になる。よって、表示手段を安価に構成することができるとともに、操作パネルなどにおいてスペースが小さい場合であっても表示器を設置することができるという効果がある。
【００１８】
オートモードにおいては、基準音高として選択された音名が表示されないと、どの音高と比較しているのか不明であって調律しにくいが、一度、調律すると、その後は、大きく変わることはないので、音名を表示する必要はなくなる。しかし、弦楽器において、弦を取り替える場合は、基準音高が不明であると調律が困難であるので、新しい弦を張った場合は、マニュアルモードで基準を音高を指定して調律する。その後、調律する場合は、多少弦が緩み、音高が僅かに低くなる程度であるので、オートモードに設定し、基準音高を選択しなくても調律することができる。よって、弦を張り替えた場合にだけ、マニュアルモードを選択して調律し、その後は、オートモードで、基準音高を選択することなく、調律することができるので、使い勝手が良い。したがって、音名を表示する表示装置を備える必要がなく、簡単な構成とすることができる。
【００１９】
請求項２記載の楽器用チューナによれば、請求項１記載の楽器用チューナの奏する効果に加え、マニュアル音高指定手段により指定される基準音高は、弦楽器の開放弦の音高に対応する音高であるので、弦楽器の調律に便利であるという効果がある。
【００２０】
請求項３記載の楽器用チューナによれば、請求項１または２記載の楽器用チューナの奏する効果に加え、マニュアル音高指定手段は、弦番号に対応して弦楽器の開放弦の音高に対応する音高を指定するので、弦の開放弦の音高を知らなくても調律を行うことができるという効果がある。
【００２１】
請求項４記載の楽器用チューナによれば、請求項１から３のいずれかに記載の楽器用チューナの奏する効果に加え、オート音高指定手段により指定される基準音高は、弦楽器の開放弦の音高に対応する音高であるので、オートモードにおいては、基準音高が、半音より間の離れた開放弦の音高に対応する音高となり、調律に慣れていない初心者が誤って半音異なった音高に調律する恐れがなく、調律が容易であるという効果がある。
【００２２】
請求項５記載の楽器用チューナによれば、請求項１から３のいずれかに記載の楽器用チューナの奏する効果に加え、オート音高指定手段により指定される基準音高は、半音階の音高であるので、半音異なった基準音高に調律することができるという効果がある。使用者が、調律に慣れている人であれば、オートモードであっても、順次弦の張力を変えながら、表示器が一致するか否かを見ることにより、半音ずつ調整することができる。
【００２３】
請求項６記載の楽器用チューナによれば、請求項１から５のいずれかに記載の楽器用チューナの奏する効果に加え、比較手段は、音高検出手段により検出された音高がモード選択手段により選択されたモードにおいて指定された基準音高より、高いか、低いか、一致しているかを判定し、表示器は、音高検出手段により検出された音高がモード選択手段により選択されたモードにおいて指定された基準音高より、高いか、低いか、一致しているかを表示し、オート音高指定手段により指定された基準音高を非表示とするので、表示手段を安価に形成することができるとともに、操作パネルなどにおいてスペースが小さい場合であっても設置することができるという効果がある。
【００２４】
請求項７記載の楽器用アンプは、請求項１から６のいずれかに記載の楽器用チューナを備えたものであるので、チューナとしてもアンプとしても使用できるとともに、小型アンプのように操作パネルが小さく音名を表示する表示装置を備える空間が取れない場合でも本発明のチューナを備えることができる。
【００２５】
請求項８記載の楽器用アンプによれば、請求項７記載の楽器用アンプの奏する効果に加え、入力手段に入力された電気信号の音高を検出するチューナ機能と、入力手段に入力された電気信号を増幅して出力するアンプ機能とのいずれかを選択する機能選択手段と、任意に設定操作する操作子とを備え、その操作子は、機能選択手段によりチューナ機能が選択されている場合は、マニュアル音高指定手段として基準音高を指定し、機能選択手段によりアンプ機能が選択されている場合は、入力手段に入力された電気信号に対する音色制御の種類を設定するので、アンプ機能で用いる操作子をチューナ機能でも兼用し、操作子の数を少なくすることができ、安価に楽器用アンプを提供することができる。
【００２６】
請求項９記載の楽器用アンプによれば、請求項８記載の楽器用アンプの奏する効果に加え、機能選択手段によりアンプ機能が選択されている場合、操作子は、入力手段に入力された電気信号の周波数特性を変更する制御の種類を設定するので、使用者は、アンプ機能時に周波数特性を任意に設定することができる。
【００２７】
請求項１０記載の楽器用アンプによれば、請求項８記載の楽器用アンプの奏する効果に加え、機能選択手段によりアンプ機能が選択されている場合、操作子は、入力手段に入力された電気信号に対する楽器または再生アンプの音色特性を模擬するモデリングの種類を設定するので、使用者は、アンプ機能時にモデリングの種類を任意に設定することができる。
【００２８】
請求項１１記載の楽器用アンプによれば、請求項８記載の楽器用アンプの奏する効果に加え、機能選択手段によりアンプ機能が選択されている場合、操作子は、入力手段に入力された電気信号に付与する効果の種類を設定するので、使用者は、アンプ機能時に効果の種類を任意に設定することができる。
【発明を実施するための最良の形態】
【００２９】
以下、本発明の好ましい実施形態について、添付図面を参照して説明する。図１は、本発明の楽器用チューナを備えた楽器用アンプ１の電気的構成を示すブロック図である。楽器用アンプ１は、入力された音声のピッチを検出するチューナ機能や、入力された電気信号を変換するシミュレーション機能や、残響などの効果を付与する効果付与機能を備えている。
【００３０】
図１に示すように、楽器用アンプ１は、入力端子２、Ａ／Ｄ変換器３、ＤＳＰ４、Ｄ／Ａ変換器５、パワーアンプ６、スピーカ７、ＣＰＵ８、ＲＡＭ９、ＲＯＭ１０、表示器１１、操作子１２とを主に備えている。このうちＤＳＰ４と、ＣＰＵ８と、ＲＡＭ９と、ＲＯＭ１０と、表示器１１と、操作子１２とはバスラインにより相互に接続されている。
【００３１】
入力端子２は、ジャックなどにより形成され、電気ギターのピックアップやマイクロフォンからの接続コードの出力端子を形成するプラグが着脱自在に装着される。入力端子２に入力された電気信号は、Ａ／Ｄ変換器３に入力される。
【００３２】
Ａ／Ｄ変換器３は、入力されたアナログ電気信号を、所定のサンプリング周波数（例えば４４．１ｋＨｚ）でサンプリングし、所定のビット数（例えば１６ビット）に量子化し、変換されたデジタル信号は、逐次ＤＳＰ４に入力される。
【００３３】
ＤＳＰ４は、デジタル信号処理回路（Digital  Signal  Processor）であり、Ａ／Ｄ変換器３により変換されたデジタル楽音信号を処理する。チューナ機能とアンプ機能とのいずれかが使用者により選択され、チューナ機能が選択された場合、ＤＳＰ４は、入力されたデジタル信号の波形のゼロクロスを検出し、ＣＰＵ８に通知する。ＣＰＵ８は、ゼロクロスの通知を入力すると、ゼロクロスが発生した時間間隔に基づいて、入力信号の周期（音高）を検出する。
【００３４】
ＤＳＰ４は、アンプ機能が選択された場合は、入力されたデジタル信号を使用者により設定されたモデリングの種類に変換したり、ディストーションやリバーブなどの効果を付与してＤ／Ａ変換器５へ出力する。ＤＳＰ４は、音高を検出するための音高処理プログラム４ａと入力信号を変換したり、入力信号に効果を付与する効果処理プログラム４ｂなどを記憶し、ＣＰＵ８の指示に応じていずれかのプログラムを実行する。
【００３５】
Ｄ／Ａ変換器５は、アンプ機能においてＤＳＰ４により処理されたデジタル信号をアナログ電気信号に変換しパワーアンプ６に出力する。パワーアンプ６は、入力されたアナログ電気信号を増幅し、スピーカ７に出力する。スピーカ７は、入力されたアナログ電信号を音に変換し出力する。
【００３６】
ＣＰＵ８は、演算処理装置でありＲＯＭ１０には、このＣＰＵ２により実行される各種の制御プログラムやその制御プログラムを実行する際に参照される固定値データが記憶される。固定値データとしては、チューナ機能において参照される半音階テーブルと、ギター用テーブルとが記憶される。半音階テーブルは、半音階（Ｃ，Ｃ＃，Ｄ，Ｄ＃・・・）を構成する各音名に対応する音高を記憶するものであり、ギター用テーブルは、ギターの６本の各弦の開放弦の音高といわゆる変則チューニングとして用いられる音階の音高（Ａ♭とＡ♭♭）とを記憶するものである。これらの音高は、チューナ機能において基準音高としてＤＳＰ４により検出された音高と比較される。
【００３７】
ＲＡＭ９は、ＣＰＵ８が制御プログラムを実行する際に各種のデータ等を一時的に記憶するためのメモリであり、書き換え可能に構成される。
【００３８】
表示器１１は、３つのＬＥＤ１１ａ、１１ｂ、１１ｃにより構成される。操作子１２は、各種ボリュームやスイッチなどを有し、ユーザにより操作される。表示器１１と操作子１２については、操作パネルを示す図２を参照して次に説明する。
【００３９】
図２は、楽器用アンプ１に備えられた操作パネルを示す平面図である。図２に示すように、操作パネルには、複数のボリュームと複数のスイッチと複数の表示器と複数の入出力端子が配置されている。
【００４０】
楽器用アンプ１は、主として電気ギター用の増幅器であって、電気ギターは、大別するとリードギターとして使用される場合と、バッキング（セカンド）ギター用として使用される場合とがあり、それぞれの場合に最適な設定がなされてスイッチ１２ｂにより切り替えることができる。リードギター用としての設定をリードチャネル、バッキングギター用としての設定をクリーンチャネルと称し、スイッチ１２ｂにより、クリーンチャネルが選択された場合は、ＬＥＤ１１ａが点灯され、リードチャネルが選択された場合は、ＬＥＤ１１ｃが点灯される。なお、チューナ機能においては、ＬＥＤ１１ａ、ＬＥＤ１１ｂ、ＬＥＤ１１ｃは、検出された音高の基準音高に対する偏差を表示する。詳細には、ＬＥＤ１１ａは、検出音高が基準音高より低い、ＬＥＤ１１ｂは、検出音高が基準音高に一致している、ＬＥＤ１１ｃは、検出音高が基準音高より高いことをそれぞれ表示する。
【００４１】
クリーンチャネルのみにおいて使用される操作子は、ボリュームつまみ１２ａのみであり、リードチャネルのみにおいて使用される操作子は、ロータリスイッチ１２ｄと、ゲインつまみ１２ｅと、ボリュームつまみ１２ｆの３つである。その他の操作子は、クリーンチャネルとリードチャネルとで共通に使用される。
【００４２】
ボリューム１２ａは、クリーンチャネルの音量レベルを設定し、ボリュームつまみ１２ｆは、リードチャネルの音量レベルを設定する。ロータリスイッチ１２ｄは、リードチャネルにおけるモデリングの種類を選択するもので、モデル１、モデル２などの選択位置にそれぞれ対応し、例えば電気ギターやアコースティックギターなどの楽器や再生アンプの音色特性をＤＳＰ４による処理により模擬するモデリングの設定がなされる。なお、ロータリスイッチ１２ｄは、チューナ機能が選択された場合には、ギターの開放弦の音名を指定する操作子として機能する。ロータリスイッチ１２ｄにより指定される回転位置には、ギターの開放弦の弦番号と音名とが表示され、第１弦は、音名Ｅに調律するので、１Ｅ、同様に第２弦は、２Ｂ、第３弦は３Ｇ、第４弦は、４Ｄ、第５弦は、５Ａ、第６弦は、６Ｅと表示され、さらに、これらの６つの位置以外の２つの位置に、それぞれ変則チューニングにより指定されるＡ♭、Ａ♭♭が表示される。
【００４３】
ゲインつまみ１２ｅは、歪み（ディストーション）量を設定するものである。操作パネルのイコライザと表示される部分には、ベースつまみ１２ｇとミドルつまみ１２ｈとトレブルつまみ１２ｉとが配置され、それぞれ低音域、中音域、高音域のレベルを調整するものである。
【００４４】
また、エフェクトと表示される部分には、エフェクトつまみ１２ｊが配置され、つまみの位置により、コーラス、フランジャ、フェーザ、トレモロのうちいずれかの効果を付与するとともに、その効果の度合いをつまみの位置により設定することができる。
【００４５】
同様に、ディレイ／リバーブと表示される部分には、ディレイ／リバーブつまみ１２ｋが配置され、つまみの回転位置により、ディレイまたはリバーブの効果を付与するとともに、つまみの回転位置により、ディレイタイム、またはリバーブの音量を設定することができる。
【００４６】
操作パネルには、上記操作子以外に、入力端子２、フットスイッチからのプラグが挿入されるフットスイッチ端子、録音用の出力であるレコーディングアウト端子などが配置されている。
【００４７】
チューナボタン１２ｃは、チューナ機能とアンプ機能とを切り替えるスイッチである。楽器用アンプ１の電源スイッチ１２ｎが操作されて電源が投入された場合は、楽器用アンプ１は、アンプ機能に設定され、チューナボタン１２ｃを押下するとチューナ機能に切り替えられる。チューナボタン１２ｃの内部には、ＬＥＤが備えられていて、チューナ機能が選択されている場合には、後述するモードに応じて点灯または点滅し、アンプ機能が選択されている場合には、消灯する。
【００４８】
チューナ機能には、マニュアルモードとオートモードとがある。アンプ機能時に、チューナボタン１２ｃを短く（例えば、１秒より短く）押下すると、チューナ機能のマニュアルモードに設定される。
【００４９】
アンプ機能時、またはチューナ機能のマニュアルモード時に、チューナボタン１２ｃを長く（例えば、１秒以上）押下する（以下、長押しと称す）と、チューナ機能のオートモードに設定される。チューナボタン１２ｃ内のＬＥＤは、マニュアルモード時には、点灯し、オートモード時には点滅する。
【００５０】
マニュアルモードとオートモードとのいずれの場合でも、チューナボタンが１２ｃが短く押下された場合は、チューナ機能からアンプ機能に戻る。
【００５１】
マニュアルモードでは、ロータリスイッチ１２ｄにより指定される音高が基準音高として選択される。ロータリスイッチ１２ｄにより指定される音高は、ＲＯＭ１０のギター用テーブル１０ｂに記憶されている。ＤＳＰ４から検出された音高を示す情報がＣＰＵ８に入力されると、ＣＰＵ８は、その検出された音高が、ロータリスイッチ１２ｄにより指定される基準音高より低い、一致している、あるいは高いかを判断し、低い場合は、左側に位置するＬＥＤ１１ａを、一致している場合は、ＬＥＤ１１ｂを、高い場合は、右側のＬＥＤ１１ｃを点灯する。なお、一致しているか否かを判断する場合は、検出音高が基準音高の所定の範囲（例えば、±５セント）以内であれば、一致しているとみなすようにしてもよい。
【００５２】
一方、オートモードでは、検出音高に最も近い半音階の音名が基準音高として選択される。したがって、オートモードでは、ロータリスイッチ１２ｄの設定は、無視される。基準音高として選択される半音階の音名に対応する音高は、ＲＯＭ１０の半音階テーブル１０ａに記憶されている。ＤＳＰ４から検出された音高を示す情報がＣＰＵ８に入力されると、ＣＰＵ８は、その検出された音高に最も近い音高を半音階テーブル１０ａから抽出し、その音高を基準音高とし、検出音高が、基準音高より低い、一致している、あるいは高いかを判断し、低い場合は、左側に位置するＬＥＤ１１ａを、一致している場合は、ＬＥＤ１１ｂを、高い場合は、右側のＬＥＤ１１ｃを点灯する。
【００５３】
なお、オートモードにおいて、検出音高に最も近い半音階の音名を基準音高として選択するのではなく、検出音高に最も近いギターの開放弦の音高を基準音高として選択するようにしてもよい。検出音高に最も近い半音階の音名を基準音高として選択する場合には、一度調律した後、弦の張力を順次変化させながら、３つのＬＥＤの点灯状況を視認することにより、半音ずつ異なる音高に設定することができる。しかし、調律に慣れていない初心者が調律を行う場合は、弦の張力を大きく変えてしまい、基準音高が目的の音高と変わってしまう恐れがある。ギターの開放弦の音高が基準音として選択されるようにすると、隣り合う開放弦の音高差は、４〜５半音なので、間違った基準音高を選択する恐れが少なくなる。
【００５４】
次に、図３を参照してＣＰＵ８により実行されるチューナ処理について説明する。図３は、チューナ処理を示すフローチャートであり、この処理は、アンプ機能時に、チューナボタン１２ｃが使用者により操作された場合に起動され、再度チューナボタン１２ｃが操作されて、アンプ機能に戻るまで繰り返し実行される。
【００５５】
このチューナ処理では、まず、アンプ機能時のチューナボタン１２ｃの操作が長押しであるか否かを判断する（Ｓ１）。長押しではない場合は（Ｓ１：Ｎｏ）、モードフラグを「０」に設定し、チューナボタン１２ｃに内蔵されているＬＥＤを点灯する（Ｓ２）。このモードフラグは、ＲＡＭ２３に記憶されるフラグであって、「０」は、マニュアルモードに、「１」は、オートモードに設定されていることをそれぞれ示す。
【００５６】
一方、チューナボタン１２ｃの操作が長押しである場合は（Ｓ１：Ｙｅｓ）、モードフラグを「１」に設定し、チューナボタン１２ｃに内蔵されるＬＥＤを点滅するように設定する（Ｓ３）。
【００５７】
次に、ＤＳＰ４から通知されたゼロクロスの発生の時間間隔に基づいて、入力信号の音高を検出し（Ｓ４）、次に、モードフラグの設定が「０」であるか否かを判断する（Ｓ５）。
【００５８】
モードフラグが「０」に設定されている場合は（Ｓ５：Ｙｅｓ）、マニュアルモードに設定されているので、ロータリスイッチ１２ｄが設定されている位置を読み込み（Ｓ６）、そのロータリスイッチ１２ｄにより指定される音高を基準音高として選択する（Ｓ７）。この基準音高は、ＲＯＭ１０のギター用テーブルに、ロータリスイッチ１２ｄの設定位置に対応して記憶されている。
【００５９】
一方、Ｓ５の判断処理において、モードフラグが「１」に設定されている場合は（Ｓ５：Ｎｏ）、オートモードに設定されているので、検出した音高に最も近い半音階の音高をＲＯＭ１０に記憶された半音階テーブル中から選択し、その音高を基準音高とする（Ｓ８）。なお、Ｓ７またはＳ８において選択された基準音高をＲＡＭ９に記憶してもよいし、基準音高が記憶されているテーブル内のアドレスをＲＡＭ９に記憶するようにしてもよい。
【００６０】
Ｓ７またはＳ８の処理により基準音高が選択されると、次に、基準音高と検出された検出音高とを比較し（Ｓ９）、一致している場合は（Ｓ１０：Ｙｅｓ）、中央のＬＥＤ１１ｂを点灯し（Ｓ１１）、検出音高の方が低い場合は（Ｓ１０：Ｎｏ、Ｓ１２：Ｙｅｓ）、左側のＬＥＤ１１ａを点灯し（Ｓ１３）、検出音高の方が高い場合は（Ｓ１２：Ｎｏ）、右側のＬＥＤ１１ｃを点灯する（Ｓ１４）。なお、３つのＬＥＤのいずれか一つを点灯した場合は、他の２つのＬＥＤを消灯する。Ｓ１１、Ｓ１３またはＳ１４の処理を終了した場合は、チューナボタン１２ｃが操作されたか否かを判断する（Ｓ１５）。チューナボタン１２ｃが操作されない場合は（Ｓ１５：Ｎｏ）、Ｓ４の処理に戻り、チューナボタン１２ｃが操作された場合は（Ｓ１５：Ｙｅｓ）、モードフラグの設定が「０」であるか否かを判断する（Ｓ１６）。
【００６１】
モードフラグが「０」に設定されている場合は（Ｓ１６：Ｙｅｓ）、マニュアルモードに設定されているので、チューナボタン１２ｃの操作が長押しであるか否かを判断する（Ｓ１７）。モードフラグが「０」に設定されていない場合は（Ｓ１６：Ｎｏ）、オートモードに設定されているので、チューナ機能を終了し、アンプ機能に戻る。
【００６２】
チューナボタン１２ｃの操作が長押しである場合は（Ｓ１７：Ｙｅｓ）、マニュアルモードからオートモードに変更する指示であるので、モードフラグを「１」とし、チューナボタン１２ｃに内蔵されているＬＥＤを点滅するように設定し（Ｓ１８）、Ｓ４の処理に戻る。
【００６３】
以上、説明したように、マニュアルモードにおいては、ギターの開放弦の音高のいずれかを指定して調律を行い、オートモードにおいては、検出された音高に最も近い半音階、またはギターの開放弦の音高が基準音高として選択され、調律を行うことができる。よって、弦を張り替える場合は、マニュアルモードで、基準音高を選択して調律し、次に調律する場合には、オートモードとして、低い、一致している、高いを表す表示のみで調律することができる。したがって、オートモードにおいて選択された基準音高を表示する表示器が不要となり、表示器を備える空間が無い場合でも本発明のチューナ装置を備えることができるとともに、チューナ装置やチューナ機能を備えた楽器用アンプを安価に提供することができる。
【００６４】
なお、請求項に記載の音高検出手段は、図３に示すフローチャートのＳ４の処理が該当し、オート音高指定手段は、図３に示すフローチャートのＳ８の処理が該当し、比較手段は、図３に示すフローチャートのＳ９の処理が該当する。
【００６５】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【００６６】
例えば、本実施形態では、ＲＯＭ１０に半音階の各音階に対応する音高（周波数）を記憶する半音階テーブルなどを備えるものとしたが、半音階の音高を演算式により演算するようにしてもよいし、所定の間隔の音高について記憶し、記憶された音高の間の半音階については、演算により求めるようにしてもよい。
【００６７】
また、上記実施形態では、調律の基準とする音高（例えば、Ａを４４０Ｈｚとする）を任意に設定することについては、記載していないが、この基準とする音高を任意に設定したり、音階を、平均率、純正調、アラビア音階などから選択したり、任意の音階を設定するようにしてもよい。
【００６８】
また、上記実施形態では、チューナ機能は、楽器用アンプ１に組み込まれているものとしたが、他の電気楽器などの電気機器に組み込まれるようにしてもよいし、電気楽器や電子楽器などに組み込まれない単独のチューナ装置としてもよい。
【００６９】
また、上記実施形態では、ロータリスイッチ１２ｄは、アンプ機能において、楽器および再生アンプの音色特性を模擬するモデリングの種類を選択するものとしたが、入力信号の周波数特性を変更する制御の種類を選択したり、入力信号に付与する効果の種類を選択するようにしてもよい。
【図面の簡単な説明】
【００７０】
【図１】本発明の楽器用チューナを搭載した楽器用アンプの電気的構成を示すブロック図である。
【図２】楽器用アンプの操作パネルを示す平面図である。
【図３】チューナ処理を示すフローチャートである。
【符号の説明】
【００７１】
１                        楽器用アンプ
２                        入力端子（入力手段）
４                        ＤＳＰ
８                        ＣＰＵ
１０                      ＲＯＭ
１１                      表示器（表示手段）
１２                      操作子
１２ｃ                    チューナボタン（機能選択手段、モード選択手段）
１２ｄ                    ロータリスイッチ（マニュアル音高指定手段）
【図１】
2008076758.tif 000003
【図２】
2008076758.tif 000004
【図３】
2008076758.tif 000005